【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
複数のコンテンツサーバと、サーバプッシュ通信制御サーバと、これらをシングルドメインとして構成するリバースプロキシサーバと、を備えるサーバシステムと、
複数のコンテンツフレーム及びサーバプッシュ通信制御フレームを備えたブラウザが動作するクライアント端末と、
が所定のネットワークを介して繋がるネットワーク通信システムであって、
前記ブラウザの前記複数のコンテンツフレームの各々は、前記複数のコンテンツサーバの各々と１対１で対応しており、対応するコンテンツサーバからの情報に応じて、各コンテンツフレームの表示が決定されるようになっており、
前記複数のコンテンツサーバのうちの一のコンテンツサーバで、前記複数のコンテンツフレームのうちの対応する一のコンテンツフレームの一の更新要求が発生すると、
前記一のコンテンツサーバが、前記サーバプッシュ通信制御サーバに前記一の更新要求を送信し、
前記サーバプッシュ通信制御サーバが、受信した前記一の更新要求を、前記リバースプロキシサーバを介して、前記ブラウザの前記サーバプッシュ通信制御フレームに送信し、
前記サーバプッシュ通信制御フレームが、受信した前記一の更新要求を、対応する前記一のコンテンツフレームに送信し、
前記一のコンテンツフレームが、受信した前記一の更新要求に基づき、対応する前記一のコンテンツサーバに対して一の更新情報要求を送信し、
前記一のコンテンツサーバが、受信した前記一の更新情報要求に応じて、一の更新情報を前記一のコンテンツフレームに送信し、
前記一のコンテンツフレームが、受信した前記一の更新情報に基づき、表示を更新するように構成されたことを特徴とするネットワーク通信システム。
【請求項２】
前記サーバプッシュ通信制御サーバが、受信した前記一の更新要求を、前記リバースプロキシサーバを介して、前記ブラウザの前記サーバプッシュ通信制御フレームに送信する通信を、ウェブソケット通信で行うことを特徴とする請求項１に記載のネットワーク通信システム。
【請求項３】
複数のコンテンツサーバのうちの一のコンテンツサーバにおいて発生した更新要求であり、クライアント端末のブラウザが有する複数のコンテンツフレームのうちの一のコンテンツフレームに対する更新要求を、前記一のコンテンツサーバから受信し、
当該受信した更新要求を、リバースプロキシサーバを介して、前記クライアント端末に送信するサーバプッシュ通信制御サーバ。
【請求項４】
複数のコンテンツサーバから送信された複数の各コンテンツを表示する複数のコンテンツフレームとサーバプッシュ通信制御フレームとを有するブラウザが動作するクライアント端末であって、
請求項３記載のサーバプッシュ通信制御サーバから送信された更新要求を、リバースプロキシサーバを介して受信し、
前記更新要求の受信に対応して、当該更新要求に対するコンテンツフレームに対応する一のコンテンツサーバであって、前記複数のコンテンツサーバのうちの一のコンテンツサーバに対して、コンテンツの更新の要求である更新情報要求を送信し、
前記更新情報要求の送信に応じて、前記一のコンテンツサーバから、前記コンテンツフレームに表示されるコンテンツを更新する更新情報を受信し、
前記更新情報の受信に応じて、前記コンテンツフレームの表示を更新するクライアント端末。
【請求項５】
複数のコンテンツサーバのうちの一のコンテンツサーバにおいて発生した更新要求であり、クライアント端末のブラウザが有する複数のコンテンツフレームのうちの一のコンテンツフレームに対する更新要求を、前記一のコンテンツサーバから受信するステップと、
当該受信した更新要求を、リバースプロキシサーバを介して、前記クライアント端末に送信するステップとを具備するサーバプッシュ通信制御方法。
【請求項６】
複数のコンテンツサーバから送信された複数の各コンテンツを表示する複数のコンテンツフレームとサーバプッシュ通信制御フレームとを有するブラウザが起動しているクライアント端末における情報処理方法であって、
請求項３記載のサーバプッシュ通信制御サーバから送信された更新要求を、リバースプロキシサーバを介して受信するステップと、
前記更新要求の受信に対応して、当該更新要求に対するコンテンツフレームに対応する一のコンテンツサーバであって、前記複数のコンテンツサーバのうちの一のコンテンツサーバに対して、コンテンツの更新の要求である更新情報要求を送信するステップと、
前記更新情報要求の送信に応じて、前記一のコンテンツサーバから、前記コンテンツフレームに表示されるコンテンツを更新する更新情報を受信するステップと、
前記更新情報の受信に応じて、前記コンテンツフレームの表示を更新するステップとを具備する情報処理方法。
【請求項７】
コンピュータに、
複数のコンテンツサーバのうちの一のコンテンツサーバにおいて発生した更新要求であり、クライアント端末のブラウザが有する複数のコンテンツフレームのうちの一のコンテンツフレームに対する更新要求を、前記一のコンテンツサーバから受信するステップと、
当該受信した更新要求を、リバースプロキシサーバを介して、前記クライアント端末に送信するステップとを実行させるためのプログラム。
【請求項８】
複数のコンテンツサーバから送信された複数の各コンテンツを表示する複数のコンテンツフレームとサーバプッシュ通信制御フレームとを有するブラウザが起動しているクライアント端末において動作するプログラムであって、
コンピュータに、
請求項３記載のサーバプッシュ通信制御サーバから送信された更新要求を、リバースプロキシサーバを介して受信するステップと、
前記更新要求の受信に対応して、当該更新要求に対するコンテンツフレームに対応する一のコンテンツサーバであって、前記複数のコンテンツサーバのうちの一のコンテンツサーバに対して、コンテンツの更新の要求である更新情報要求を送信するステップと、
前記更新情報要求の送信に応じて、前記一のコンテンツサーバから、前記コンテンツフレームに表示されるコンテンツを更新する更新情報を受信するステップと、
前記更新情報の受信に応じて、前記コンテンツフレームの表示を更新するステップとを実行させるためのプログラム。
【手続補正２】
【補正対象書類名】明細書
【補正対象項目名】発明の名称
【補正方法】変更
【補正の内容】
【発明の名称】ネットワーク通信システム、サーバプッシュ通信制御サーバ、クライアント端末、サーバプッシュ通信制御方法、情報処理方法、およびプログラム
【手続補正３】
【補正対象書類名】明細書
【補正対象項目名】００１７
【補正方法】変更
【補正の内容】
【００１７】
詳しくは、第一の発明は、複数のコンテンツサーバと、サーバプッシュ通信制御サーバと、これらをシングルドメインとして構成するリバースプロキシサーバと、を備えるサーバシステムと、クライアント端末上で、複数のコンテンツフレーム及びサーバプッシュ通信制御フレームを備えたブラウザと、が所定のネットワークを介して繋がるネットワーク通信システムであって、前記ブラウザの前記複数のコンテンツフレームの各々は、前記複数のコンテンツサーバの各々と１対１で対応しており、対応するコンテンツサーバからの情報に応じて、各コンテンツフレームの表示が決定されるようになっており、前記複数のコンテンツサーバのうちの一のコンテンツサーバで、前記複数のコンテンツフレームのうちの対応する一のコンテンツフレームの一の更新要求が発生すると、前記一のコンテンツサーバが、前記サーバプッシュ通信制御サーバに前記一の更新要求を送信し、前記サーバプッシュ通信制御サーバが、受信した前記一の更新要求を、前記リバースプロキシサーバを介して、前記ブラウザの前記サーバプッシュ通信制御フレームに送信し、前記サーバプッシュ通信制御フレームが、受信した前記一の更新要求を、対応する前記一のコンテンツフレームに送信し、前記一のコンテンツフレームが、受信した前記一の更新要求に基づき、対応する前記一のコンテンツサーバに対して一の更新情報要求を送信し、前記一のコンテンツサーバが、受信した前記一の更新情報要求に応じて、一の更新情報を前記一のコンテンツフレームに送信し、前記一のコンテンツフレームが、受信した前記一の更新情報に基づき、表示を更新するように構成されたネットワーク通信システムとしたことを特徴とする。
【手続補正４】
【補正対象書類名】明細書
【補正対象項目名】００１９
【補正方法】変更
【補正の内容】
【００１９】
また、第二の発明は、第一の発明の構成に加え、前記サーバプッシュ通信制御サーバが、受信した前記一の更新要求を、前記リバースプロキシサーバを介して、前記ブラウザの前記サーバプッシュ通信制御フレームに送信する通信を、ウェブソケット通信で行うことを特徴とする。
【手続補正５】
【補正対象書類名】明細書
【補正対象項目名】００２０
【補正方法】変更
【補正の内容】
【００２０】
第一の発明によれば、従来のウェブアプリケーション開発のスタイルからの変更点を最小限とした上で、コンテンツサーバ側から更新要求があるまでは、クライアント端末側ではサーバに向けて通信を行わないため、ネットワークに対する通信負荷を劇的に軽減することができ、かつ、所定のサーバプッシュ通信に基づいて、クライアント端末のブラウザで常に新しい情報を表示することができるネットワーク通信システムとすることができる。
【手続補正６】
【補正対象書類名】明細書
【補正対象項目名】００２１
【補正方法】変更
【補正の内容】
【００２１】
また、第二の発明によれば、第一の発明の効果に加え、サーバプッシュ通信制御サーバが、受信した一の更新要求を、リバースプロキシサーバを介して、ブラウザのサーバプッシュ通信制御フレームに送信する通信を、ウェブソケット通信で行うため、具体的に、ネットワークに対する通信負荷を劇的に軽減した上で、クライアント端末のブラウザで常に新しい情報を表示することができる有効な通信システムとすることができる。